(57)【要約】【課題】持ち運び可能な記憶媒体を介して情報を処理装置に記憶させる際の，ユーザの手間を低減する技術を提供すること。【解決手段】ＭＦＰ１００は，ＩＣカード５０から認証情報を受信し，受信した認証情報を，ＵＳＢメモリ６０に記憶させる。さらにＭＦＰ１００は，ＭＦＰ１００自身に記憶される設定情報を，ＵＳＢメモリ６０に記憶させる。ＭＦＰ２００は，ＩＣカード５０から認証情報を受信し，さらにＵＳＢメモリ６０に記憶される認証情報を読み出す。そして，ＭＦＰ２００は，読み出した認証情報と，受信した認証情報と，が一致する場合に，ＵＳＢメモリ６０に記憶される設定情報を，ＭＦＰ２００自身の設定情報として記憶させる。【選択図】図３
2018056917.tif 000002
【特許請求の範囲】
【請求項１】
第１の記憶部と，非接触無線通信機能を有する携帯端末からの信号を受信する第１の受信部と，記憶媒体との接続が可能な第１の接続部と，第１の制御部と，を備える第１の処理装置と，
第２の記憶部と，前記携帯端末からの信号を受信する第２の受信部と，前記記憶媒体との接続が可能な第２の接続部と，第２の制御部と，を備える第２の処理装置と，
があり，前記第１の記憶部に記憶される所定の情報を前記第１の接続部に接続される前記記憶媒体に記憶させ，その後，前記記憶媒体を前記第２の接続部に接続させて前記所定の情報を前記第２の記憶部に記憶させる，装置間での情報のコピー方法であって，
前記第１の処理装置で実行される工程には，
前記第１の受信部が，前記携帯端末から認証情報を受信する第１受信工程と，
前記第１の制御部が，前記第１受信工程にて受信した前記認証情報を，前記第１の接続部に接続される前記記憶媒体に記憶させる第１認証情報記憶工程と，
前記第１の制御部が，前記第１の記憶部に記憶される前記所定の情報を，前記第１の接続部に接続される前記記憶媒体に記憶させる第１所定情報記憶工程と，
を含み，
前記第２の処理装置で実行される工程には，
前記第２の受信部が，前記携帯端末から前記認証情報を受信する第２受信工程と，
前記第２の制御部が，前記第２の接続部に接続される前記記憶媒体に記憶される前記認証情報を読み出す読出工程と，
前記第２の制御部が，前記読出工程にて読み出した前記認証情報と，前記第２受信工程にて受信した前記認証情報と，が一致する場合に，前記第２の接続部に接続される前記記憶媒体に記憶される前記所定の情報を，前記第２の記憶部に記憶させる第２所定情報記憶工程と，
を含むことを特徴とするコピー方法。
【請求項２】
請求項１に記載するコピー方法において，
前記第１の処理装置で実行される工程には，
前記第１の制御部が，前記第１の記憶部に記憶される前記所定の情報を暗号化する第１暗号化工程を含み，
前記第１所定情報記憶工程では，
前記第１の制御部が，前記第１暗号化工程にて暗号化した前記所定の情報を，前記第１の接続部に接続される前記記憶媒体に記憶させ，
前記第２の処理装置で実行される工程には，
前記第２の制御部が，前記読出工程にて読み出した前記所定の情報を復号化する第１復号化工程を含み，
前記第２所定情報記憶工程では，
前記第２の制御部が，前記第１復号化工程にて復号化した前記所定の情報を，前記第２の記憶部に記憶させる，
ことを特徴とするコピー方法。
【請求項３】
請求項２に記載するコピー方法において，
前記第１の処理装置で実行される工程には，
前記第１の制御部が，前記第１受信工程にて受信した前記認証情報から暗号鍵を生成する暗号鍵生成工程を含み，
前記第１暗号化工程では，
前記第１の制御部が，前記暗号鍵生成工程にて生成した前記暗号鍵を用いて，前記第１の記憶部に記憶される前記所定の情報を暗号化し，
前記第２の処理装置で実行される工程には，
前記第２の制御部が，前記読出工程にて読み出した前記認証情報から復号鍵を生成する復号鍵生成工程を含み，
前記第１復号化工程では，
前記第２の制御部が，前記復号鍵生成工程にて生成した前記復号鍵を用いて，前記読出工程にて読み出した前記所定の情報を復号化する，
ことを特徴とするコピー方法。
【請求項４】
請求項１から請求項３のいずれか１つに記載するコピー方法において，
前記第１の処理装置で実行される工程には，
前記第１の制御部が，前記第１受信工程にて受信した前記認証情報を暗号化する第２暗号化工程を含み，
前記第１認証情報記憶工程では，
前記第１の制御部が，前記第２暗号化工程にて暗号化した前記認証情報を，前記第１の接続部に接続される前記記憶媒体に記憶させ，
前記第２の処理装置で実行される工程には，
前記第２の制御部が，前記読出工程にて読み出した前記認証情報を復号化する第２復号化工程を含み，
前記第２所定情報記憶工程では，
前記第２の制御部が，前記第２復号化工程にて復号化した前記認証情報と，前記第２受信工程にて受信した前記認証情報と，が一致する場合に，前記第２の接続部に接続される前記記憶媒体に記憶される前記所定の情報を，前記第２の記憶部に記憶させる，
ことを特徴とするコピー方法。
【請求項５】
請求項１から請求項４のいずれか１つに記載するコピー方法において，
前記第１の処理装置で実行される工程には，
前記第１の制御部が，前記第１の接続部に接続される前記記憶媒体に，前記所定の情報および前記認証情報を共に記憶させるフォルダを作成するフォルダ作成工程を含む，
ことを特徴とするコピー方法。
【請求項６】
請求項１から請求項５のいずれか１つに記載するコピー方法において，
前記第１の処理装置で実行される工程には，
前記第１の制御部が，前記所定の情報を前記記憶媒体に記憶させたことを示す履歴情報を，前記第１受信工程にて受信した前記認証情報と関連付けて記憶する履歴記憶工程を含む，
ことを特徴とするコピー方法。
【請求項７】
第１の記憶部と，
非接触無線通信機能を有する携帯端末からの信号を受信する第１の受信部と，
記憶媒体との接続が可能な第１の接続部と，
第１の制御部と，
を備えるコピー元の処理装置であって，
前記第１の制御部は，
前記携帯端末から前記第１の受信部を用いて認証情報を受信する第１認証情報受信処理と，
前記第１認証情報受信処理にて受信した前記認証情報を，前記第１の接続部に接続される前記記憶媒体に記憶させる第１認証情報記憶処理と，
前記第１の記憶部に記憶される所定の情報を，前記第１の接続部に接続される前記記憶媒体に記憶させる第１所定情報記憶処理と，
を実行することを特徴とする処理装置。
【請求項８】
第２の記憶部と，
携帯端末からの信号を受信する第２の受信部と，
記憶媒体との接続が可能な第２の接続部と，
第２の制御部と，
を備えるコピー先の第２の処理装置であって，
前記第２の制御部は，
前記携帯端末から前記第２の受信部を用いて認証情報を受信する第２認証情報受信処理と，
前記第２の接続部に接続される前記記憶媒体に記憶される認証情報を読み出す読出処理と，
前記読出処理にて読み出した前記認証情報と，前記第２認証情報受信処理にて受信した前記認証情報と，が一致する場合に，前記第２の接続部に接続される前記記憶媒体に記憶される所定の情報を，前記第２の記憶部に記憶させる第２所定情報記憶処理と，
を実行することを特徴とする処理装置。
【発明の詳細な説明】
【技術分野】
【０００１】
本発明は，第１の処理装置と第２の処理装置との間で，記憶媒体を介して情報をコピーするコピー方法に関する。
【背景技術】
【０００２】
従来から，ＵＳＢメモリ等の持ち運びが便利な記憶媒体を着脱可能な処理装置がある。このような処理装置と記憶媒体とを用いる技術としては，例えば，ある処理装置に記憶される情報を記憶媒体に記憶させ，その記憶媒体から別の処理装置にその情報を記憶させる技術が知られている。
【０００３】
記憶媒体から処理装置に情報を記憶させる技術を開示した文献としては，例えば特許文献１がある。特許文献１では，非接触無線通信手段を有する携帯端末に，処理装置で実行される機能の設定情報を記憶しておき，非接触無線通信によって認証処理を行い，非接触無線通信が確立すると，その設定情報を非接触無線通信によって携帯端末から処理装置に送信する構成が開示されている。
【先行技術文献】
【特許文献】
【０００４】
【特許文献１】特開２０１５−９９５６５号公報
【発明の概要】
【発明が解決しようとする課題】
【０００５】
しかしながら，前記した従来の技術には，次のような問題があった。すなわち，処理装置は，携帯端末から設定情報を受け取る前に，携帯端末からの情報に基づいて認証処理を行う。この認証処理は，携帯端末から送信される情報とあらかじめ処理装置に設定される情報との照合であり，処理装置において認証処理のための設定を事前に完了させておく必要がある。あるいは認証処理を認証サーバ等の外部サーバで行う場合であっても，少なくとも処理装置と認証サーバとの接続設定を事前に完了させておく必要がある。そのため，新品導入時のような，認証処理に必要な事前の設定が行われていない処理装置に情報を記憶させる場合，事前の設定を完了させる手間がユーザに生じる。
【０００６】
本発明は，前記した従来の技術が有する問題点を解決するためになされたものである。すなわちその課題とするところは，持ち運び可能な記憶媒体を介して情報を処理装置に記憶させる際の，ユーザの手間を低減する技術を提供することにある。
【課題を解決するための手段】
【０００７】
この課題の解決を目的としてなされたコピー方法は，第１の記憶部と，非接触無線通信機能を有する携帯端末からの信号を受信する第１の受信部と，記憶媒体との接続が可能な第１の接続部と，第１の制御部と，を備える第１の処理装置と，第２の記憶部と，前記携帯端末からの信号を受信する第２の受信部と，前記記憶媒体との接続が可能な第２の接続部と，第２の制御部と，を備える第２の処理装置と，があり，前記第１の記憶部に記憶される所定の情報を前記第１の接続部に接続される前記記憶媒体に記憶させ，その後，前記記憶媒体を前記第２の接続部に接続させて前記所定の情報を前記第２の記憶部に記憶させる，装置間での情報のコピー方法であって，前記第１の処理装置で実行される工程には，前記第１の受信部が，前記携帯端末から認証情報を受信する第１受信工程と，前記第１の制御部が，前記第１受信工程にて受信した前記認証情報を，前記第１の接続部に接続される前記記憶媒体に記憶させる第１認証情報記憶工程と，前記第１の制御部が，前記第１の記憶部に記憶される前記所定の情報を，前記第１の接続部に接続される前記記憶媒体に記憶させる第１所定情報記憶工程と，を含み，前記第２の処理装置で実行される工程には，前記第２の受信部が，前記携帯端末から前記認証情報を受信する第２受信工程と，前記第２の制御部が，前記第２の接続部に接続される前記記憶媒体に記憶される前記認証情報を読み出す読出工程と，前記第２の制御部が，前記読出工程にて読み出した前記認証情報と，前記第２受信工程にて受信した前記認証情報と，が一致する場合に，前記第２の接続部に接続される前記記憶媒体に記憶される前記所定の情報を，前記第２の記憶部に記憶させる第２所定情報記憶工程と，を含むことを特徴としている。
【０００８】
また，本明細書には，第１の記憶部と，非接触無線通信機能を有する携帯端末からの信号を受信する第１の受信部と，記憶媒体との接続が可能な第１の接続部と，第１の制御部と，を備えるコピー元の処理装置であって，前記第１の制御部は，前記携帯端末から前記第１の受信部を用いて認証情報を受信する第１認証情報受信処理と，前記第１認証情報受信処理にて受信した前記認証情報を，前記第１の接続部に接続される前記記憶媒体に記憶させる第１認証情報記憶処理と，前記第１の記憶部に記憶される所定の情報を，前記第１の接続部に接続される前記記憶媒体に記憶させる第１所定情報記憶処理と，を実行することを特徴とする処理装置が開示されている。
【０００９】
また，本明細書には，第２の記憶部と，携帯端末からの信号を受信する第２の受信部と，記憶媒体との接続が可能な第２の接続部と，第２の制御部と，を備えるコピー先の第２の処理装置であって，前記第２の制御部は，前記携帯端末から前記第２の受信部を用いて認証情報を受信する第２認証情報受信処理と，前記第２の接続部に接続される前記記憶媒体に記憶される認証情報を読み出す読出処理と，前記読出処理にて読み出した前記認証情報と，前記第２認証情報受信処理にて受信した前記認証情報と，が一致する場合に，前記第２の接続部に接続される前記記憶媒体に記憶される所定の情報を，前記第２の記憶部に記憶させる第２所定情報記憶処理と，を実行することを特徴とする処理装置が開示されている。
【００１０】
本明細書に開示される第１の処理装置と第２の処理装置との間での情報のコピー方法では，先ず，コピー元である第１の処理装置が，携帯端末から認証情報を受信し，その受信した認証情報とコピー対象の所定の情報とを記憶媒体に記憶させる。そして，コピー先の第２の処理装置では，同じく携帯端末から認証情報を受信し，その受信した認証情報と記憶媒体に記憶される認証情報との照合によって，ユーザ認証を行う。この手順により，本明細書に開示されるコピー方法では，コピー先の第２の処理装置において，事前の設定が行われていなくてもユーザ認証を行うことができる。従って，新品導入時のような事前の設定が行われていない処理装置であっても，事前の設定を行わずにコピーを行うことができ，その結果としてユーザの手間が少ない。
【００１１】
上記装置の機能を実現するための制御方法，コンピュータプログラム，および当該コンピュータプログラムを格納するコンピュータにて読取可能な記憶媒体も，新規で有用である。
【発明の効果】
【００１２】
本発明によれば，持ち運び可能な記憶媒体を介して情報を処理装置に記憶させる際の，ユーザの手間を低減する技術が実現される。
【図面の簡単な説明】
【００１３】
【図１】実施の形態にかかるデータコピーシステムの構成を示すブロック図である。
【図２】実施の形態にかかる複合機（ＭＦＰ）の外観を示す斜視図である。
【図３】実施の形態にかかるデータコピーシステムのコピー動作の概要を説明する図である。
【図４】コピー元のＭＦＰによって実行される設定読み取り処理の手順を示す図である。
【図５】コピー元のＭＦＰによって実行される装置−ＵＳＢ移行処理の手順を示す図である。
【図６】コピー先のＭＦＰによって実行される設定書き込み処理の手順を示す図である。
【図７】コピー先のＭＦＰによって実行されるＵＳＢ−装置移行処理の手順を示す図である。
【図８】応用形態におけるコピー動作の概要を説明する図である。
【図９】応用形態における装置−ＵＳＢ移行処理の手順を示す図である。
【図１０】応用形態におけるＵＳＢ−装置移行処理の手順を示す図である。
【発明を実施するための形態】
【００１４】
以下，本実施形態にかかるコピー方法について，添付図面を参照しつつ詳細に説明する。本形態は，複数の複合機（ＭＦＰ：Multi-Function Peripheral）と，ＭＦＰと無線通信可能なＩＣカードと，ＭＦＰ１００に接続可能なフラッシュメモリと，を有するデータコピーシステムに本発明を適用したものである。
【００１５】
［データコピーシステムの全体構成］
本形態のデータコピーシステム９００は，図１に示すように，コピー元のＭＦＰ１００と，コピー先のＭＦＰ２００と，ＩＣカード５０と，ＵＳＢメモリ６０と，を備えている。ＭＦＰ１００は，第１の処理装置の一例である。ＭＦＰ２００は，第２の処理装置の一例である。
【００１６】
データコピーシステム９００では，ＭＦＰ１００記憶される各種の設定情報を，ＵＳＢメモリ６０を介して，ＭＦＰ２００にコピーすることが可能である。また，本形態のデータコピーシステム９００では，ＭＦＰ１００記憶される各種の設定情報をＵＳＢメモリ６０に書き込む際，およびＵＳＢメモリ６０に記憶される各種の設定情報をＭＦＰ２００に書き込む際，ＩＣカード５０を用いたユーザ認証を行う。
【００１７】
なお，本形態においてＭＦＰ１００とＭＦＰ２００とは同機種であり，同じハードウェア構成を有する。そのため，ＭＦＰ２００の情報をＭＦＰ１００にコピーすることも可能である。その場合，ＭＦＰ２００が，第１の処理装置の一例となり，ＭＦＰ１００が，第２の処理装置の一例となる。つまり，ＭＦＰ１００，２００は，第１の処理装置と第２の処理装置の一例を兼ねる。
【００１８】
また，データのコピー先となる処理装置は，ＭＦＰ２００の他，本形態のコピーシステムでのコピー動作が可能な処理装置であれば何台でもよい。すなわち，コピー先の処理装置は，ＭＦＰ２００のみに限るものではない。
【００１９】
［ＭＦＰの構成］
続いて，ＭＦＰ１００の概略構成について説明する。なお，ＭＦＰ２００は，ＭＦＰ１００と同機種であり，同じハードウェア構成を有することから説明を省略する。
【００２０】
ＭＦＰ１００は，図１に示したように，ＣＰＵ１３１と，ＲＯＭ１３２と，ＲＡＭ１３３と，ＮＶＲＡＭ（Non Volatile RAM）１３４と，を有するコントローラ１３０を備えている。また，ＭＦＰ１００は，画像形成部１１０と，画像読取部１２０と，操作パネル１４０と，ＬＡＮインターフェイス１３６と，ＮＦＣ（Near Field Communication）インターフェイス１３７と，ＵＳＢインターフェイス１３８とを備え，これらがＣＰＵ１３１によって制御される。なお，図１中のコントローラ１３０は，ＣＰＵ１３１等，ＭＦＰ１００の制御に利用されるハードウェアを纏めた総称であって，実際にＭＦＰ１００に存在する単一のハードウェアを表すとは限らない。
【００２１】
ＲＯＭ１３２には，ＭＦＰ１００を制御するための制御プログラムであるファームウェアや各種設定，初期値等が記憶されている。ＲＡＭ１３３は，各種制御プログラムが読み出される作業領域として，あるいは画像データを一時的に記憶する記憶領域として利用される。ＮＶＲＡＭ１３４も，ＭＦＰ１００にて用いられる各種の情報を記憶する記憶領域として利用される。特にＮＶＲＡＭ１３４は，電話帳，ネットワーク設定，ショートカット設定等，電源が投入されていない間も保持し続ける必要が有る情報を記憶する記憶領域として利用される。ＮＶＲＡＭ１３４は第１の記憶部の一例であり，ＮＶＲＡＭ２３４は第２の記憶部の一例である。なお，ＲＡＭ１３３が第１の記憶部の一例であり，ＲＡＭ２３３が第２の記憶部の一例であってもよい。
【００２２】
ＣＰＵ１３１は，ＲＯＭ１３２から読み出した制御プログラムや各種センサから送られる信号に従って，その処理結果をＲＡＭ１３３またはＮＶＲＡＭ１３４に記憶させながら，ＭＦＰ１００の各構成要素を制御する。ＣＰＵ１３１は第１の制御部の一例であり，ＣＰＵ２３１は第２の制御部の一例である。なお，コントローラ１３０が第１の制御部であってもよく，コントローラ２３０が第２の制御部の一例であってもよい。
【００２３】
画像形成部１１０は，画像データに基づく画像をシートに印刷する。また，画像形成部１１０は，画像を形成してその画像をシートに印刷することができればよく，インクジェット方式であっても電子写真方式であってもよい。更には，カラー印刷が可能であってもモノクロ専用であってもよい。
【００２４】
画像読取部１２０は，原稿の画像を読み取って画像データを出力する。画像読取部１２０は，原稿の画像を読み取ることができればよく，ＣＩＳ方式であってもＣＣＤ方式であってもよい。更には，カラー読み取りが可能であってもモノクロ専用であってもよい。
【００２５】
ＬＡＮインターフェイス（ＬＡＮ  ＩＦ）１３６は，イーサネット（登録商標）通信に用いるケーブルを接続可能にするインターフェイスである。ＭＦＰ１００は，ＬＡＮインターフェイス１３６を介して外部装置から送信されるデータを受信する。さらに，ＭＦＰ１００は，ＬＡＮインターフェイス１３６を介して外部装置にデータを送信する。
【００２６】
ＮＦＣインターフェイス１３７は，ＩＳＯ／ＩＥＣ２１４８１またはＩＳＯ／ＩＥＣ１８０９２の国際標準規格に基づいて，ＮＦＣ方式の無線通信（ＮＦＣ通信）を可能にするインターフェイスである。ＭＦＰ１００は，ＮＦＣインターフェイス１３７を介して外部装置から送信されるデータを受信する。さらに，ＭＦＰ１００は，ＮＦＣインターフェイス１３７を介して外部装置にデータを送信する。ＮＦＣインターフェイス１３７は第１の受信部の一例であり，ＮＦＣインターフェイス２３７は第２の受信部の一例である。
【００２７】
例えば，認証情報を記憶するＩＣカード５０が有る場合，ＩＣカード５０をＮＦＣインターフェイス１３７の通信範囲内に配置すると，ＭＦＰ１００はＮＦＣインターフェイス１３７を介してＩＣカード５０とのデータのやり取りが可能になり，ＩＣカード５０に記憶される認証情報を受信できる。ＭＦＰ２００も同様に，ＮＦＣインターフェイス２３７を介して，ＩＣカード５０に記憶される認証データを受信できる。ＩＣカード５０は，携帯端末の一例である。
【００２８】
ＵＳＢインターフェイス１３８は，ＵＳＢ端子を備えるデバイスを接続可能にするインターフェイスである。ＭＦＰ１００は，ＵＳＢインターフェイス１３８を介して接続されたデバイスに対して，データの読み取りないし書き込みを行う。ＵＳＢインターフェイス１３８は第１の接続部の一例であり，ＵＳＢインターフェイス２３８は第２の接続部の一例である。
【００２９】
例えば，ＵＳＢ端子を有するフラッシュメモリであるＵＳＢメモリ６０が有る場合，ＵＳＢメモリ６０をＵＳＢインターフェイス１３８に接続すると，ＭＦＰ１００は，ＵＳＢインターフェイス１３８を介して，ＵＳＢメモリ６０の記憶領域にデータを書き込むことができ，ＵＳＢメモリ６０に記憶されるデータを読み出すことができる。ＵＳＢメモリ６０は，記憶媒体の一例である。
【００３０】
ＭＦＰ１００は，この他のインターフェイスとして，例えば，無線ＬＡＮ通信を行うための無線ＬＡＮインターフェイスや，電話回線を介して電話網に接続された他のファクシミリ（ＦＡＸ）装置とＦＡＸ通信を行うための電話回線インターフェイスを備えていてもよい。
【００３１】
操作パネル１４０は，図２に示すようにＭＦＰ１００の外装に設けられ，ユーザ入力を受け付ける各種のボタンから構成される入力部１４１と，メッセージや設定内容を表示する画面１４２とを有している。各種のボタンとしては，例えば，画像処理の開始を指示するＯＫボタンや，画像処理のキャンセルを指示するキャンセルボタンがある。なお，ＭＦＰ２００は，ＭＦＰ１００と同様の構成であり，図２中の括弧書きの符号はＭＦＰ２００に対する符号を意味する。
【００３２】
また，操作パネル１４０は，ＮＦＣ通信を受け付けるＮＦＣ読取部１４３を有している。ＮＦＣ読取部１４３の直下には，ＮＦＣインターフェイス１３７が設けられており，ＭＦＰ１００は，電力が供給されている間，ＮＦＣインターフェイス１３７から定期的に発せられる信号によって，ＮＦＣ通信が実行可能なデバイスを検出する状態になっている。そのため，例えば，ユーザがＩＣカード５０をＮＦＣ読取部１４３にかざすと，ＭＦＰ１００はＩＣカード５０を検出し，ＩＣカード５０とＭＦＰ１００との間でＮＦＣ通信が自動的に可能になる。なお，ＩＣカード５０をＮＦＣ読取部１４３に「かざす」とは，ＩＣカード５０をＮＦＣインターフェイス１３７の通信範囲内に配置する動作であり，ＩＣカード５０とＮＦＣ読取部１４３とが接触していてもいなくてもよい。
【００３３】
［コピー動作の概要］
続いて，本形態のデータコピーシステム９００におけるコピー動作について，図３を参照しつつ説明する。本形態のデータコピーシステム９００では，ＭＦＰ１００に記憶されている各種の設定情報をＭＦＰ２００にコピーする際，ＵＳＢメモリ６０およびＩＣカード５０を用いる。設定情報としては，例えば，電話帳，ネットワーク設定，ショートカット設定，トレイ設定，が該当する。
【００３４】
ＭＦＰ１００には，設定情報を暗号化する暗号化プログラム１７１と，暗号鍵を生成する鍵生成プログラム１７２と，認証情報を暗号化する暗号化プログラム１７３と，がＲＯＭ１３２に組み込まれている。なお，ＭＦＰ２００にも同様のプログラムが組み込まれているが，本形態ではＭＦＰ２００はコピー先として説明するため，図示を省略している。
【００３５】
ＭＦＰ２００には，暗号化された設定情報を復号化する復号化プログラム２７１と，復号鍵を生成する鍵生成プログラム２７２と，暗号化された認証情報を復号化する復号化プログラム２７３と，がＲＯＭ２３２に組み込まれている。なお，ＭＦＰ１００にも同様のプログラムが組み込まれているが，本形態ではＭＦＰ１００はコピー元として説明するため，図示を省略している。
【００３６】
データコピーシステム９００においてコピー動作を開始する際，始めに，ＭＦＰ１００は，コピー開始指示の入力を操作パネル１４０を介して受け付ける。ユーザの操作によってコピー開始指示が入力されると，ＭＦＰ１００は，ＩＣカード５０をＮＦＣ読取部１４３にかざすようユーザに指示する。ユーザがＩＣカード５０をかざすと，ＭＦＰ１００は，ＮＦＣインターフェイス１３７を介して，ＩＣカード５０に記憶されている認証情報を受信する。
【００３７】
ＭＦＰ１００は，ＮＦＣインターフェイス１３７を介してＩＣカード５０から認証情報を受信した後，鍵生成プログラム１７２によって，認証情報から暗号鍵Ａを生成する。暗号鍵Ａは，認証情報に基づいて生成されることから，ユーザ固有のものになる。
【００３８】
暗号鍵Ａを生成した後，ＭＦＰ１００は，その暗号鍵Ａを用いて，暗号化プログラム１７１によって，設定情報を暗号化する。また，ＭＦＰ１００には，あらかじめ暗号鍵ＢがＲＯＭ１３２に記憶されており，ＭＦＰ１００は，ＮＦＣインターフェイス１３７を介してＩＣカード５０から認証情報を受信すると，その暗号鍵Ｂを用いて，暗号化プログラム１７３によって，認証情報を暗号化する。暗号鍵Ｂは，例えば工場出荷時から記憶されたものであって，全機種に共通の暗号鍵である。なお，ＭＦＰ２００にも暗号鍵Ａが記憶されているが，図示を省略している。
【００３９】
設定情報および認証情報の暗号化が完了した後，ＭＦＰ１００は，暗号化された設定情報および暗号化された認証情報を，ＵＳＢインターフェイス１３８を介して，ＵＳＢメモリ６０に記憶する。ＭＦＰ１００は，各情報をＵＳＢメモリ６０に記憶する際，ＵＳＢメモリ６０に今回のコピー動作用のフォルダ６１を生成し，そのフォルダ６１内に，暗号化された設定情報と暗号化された認証情報とを共に記憶する。図３中のフォルダ６２，６３は，既存のフォルダであり，今回のコピー動作によって，ＵＳＢメモリ６０内には，新規のフォルダ６１と既存のフォルダ６２，６３と合わせて３つのフォルダが存在することになる。
【００４０】
なお，ＭＦＰ１００は，暗号化された設定情報および暗号化された認証情報を，ＵＳＢメモリ６０に記憶する際，両情報に，共通の識別情報であるコピーＩＤを付与する。これにより，両情報が関連付けられる。
【００４１】
ＵＳＢメモリ６０への暗号化された設定情報および暗号化された認証情報の記憶が完了した後，ユーザがそのＵＳＢメモリ６０をＭＦＰ１００のＵＳＢインターフェイス１３８から取り外し，ユーザがＭＦＰ２００の近くまで移動して，ユーザがそのＵＳＢメモリ６０をＭＦＰ２００のＵＳＢインターフェイス２３８に差し込む。
【００４２】
ＭＦＰ２００は，コピー実行指示の入力を操作パネル２４０を介して受け付ける。ユーザの操作によってコピー実行指示が入力されると，ＭＦＰ２００は，ＭＦＰ１００での動作と同様に，ＩＣカード５０をＮＦＣ読取部２４３にかざすようユーザに指示する表示を操作パネル１４０の画面１４２に表示させる。ユーザがＩＣカード５０をかざすと，ＭＦＰ２００は，ＮＦＣインターフェイス２３７を介して，ＩＣカード５０に記憶される認証情報を受信する。さらに，ＭＦＰ２００は，ＵＳＢメモリ６０に記憶されている暗号化された設定情報および暗号化された認証情報を読み出す。
【００４３】
ＭＦＰ２００には，あらかじめ復号鍵Ｂ’がＲＯＭ２３２に記憶されている。復号鍵Ｂ’は，ＭＦＰ１００に記憶される暗号鍵Ｂに対応するものである。ＭＦＰ２００は，ＵＳＢメモリ６０から暗号化された認証情報を読み出すと，その復号鍵Ｂ’を用いて，復号化プログラム２７３によって，暗号化された認証情報を復号化する。すなわち，認証情報を，暗号化される前の状態に戻す。このとき，暗号化された認証情報が，復号鍵Ｂ’に対応する暗号鍵Ｂから暗号化されていない場合には，復号化に失敗する。そのため，暗号化される前の認証情報を利用できない。これにより，不適切なコピーを防止する。なお，ＭＦＰ１００にも復号鍵Ｂ’が記憶されているが，図示を省略している。
【００４４】
また，ＭＦＰ２００は，ＮＦＣインターフェイス２３７を介してＩＣカード５０から認証情報を受信すると，復号化した認証情報と，ＮＦＣインターフェイス２３７を介してＩＣカード５０から受信した認証情報と，が一致する場合に，鍵生成プログラム２７２によって，復号化した認証情報あるいはＩＣカード５０から認証情報から復号鍵Ａ’を生成する。復号鍵Ａ’は，認証情報に基づいて生成されることから，ユーザ固有のものになる。
【００４５】
復号鍵Ａ’を生成した後，ＭＦＰ２００は，その復号鍵Ａ’を用いて，復号化プログラム２７１によって，暗号化された設定情報を復号化する。すなわち，設定情報を，暗号化される前の状態に戻す。このとき，復号鍵Ａ’が暗号鍵Ａを生成したときと異なる認証情報から生成された場合には，復号化に失敗する。そのため，暗号化される前の設定情報を利用できない。これにより，不適切なコピーを防止する。設定情報を復号化した後，その設定情報をＭＦＰ２００の設定情報に上書きする。すなわち，ＭＦＰ１００の設定情報がＭＦＰ２００にコピーされる。
【００４６】
データコピーシステム９００においてコピー動作では，復号化した認証情報と，ＮＦＣインターフェイス２３７を介してＩＣカード５０から受信した認証情報と，を用いてユーザ認証を行う。そして両認証情報が一致する場合，ＭＦＰ２００は，復号化した設定情報を，ＭＦＰ２００の設定情報に上書きする。一方，両認証情報が一致しない場合，ＭＦＰ２００は，復号化した設定情報を，ＭＦＰ２００の設定情報に上書きしない。これにより，不適切なコピーを防止する。
【００４７】
［コピー元であるＭＦＰ１００の処理］
続いて，コピー元であるＭＦＰ１００で実行される設定読み取り処理について，図４のフローチャートを参照しつつ説明する。設定読み取り処理は，操作パネル１４０を介してコピー開始指示が入力されたことを契機に，ＭＦＰ１００のＣＰＵ１３１によって実行される。
【００４８】
設定読み取り処理では，ＣＰＵ１３１は先ず，ＵＳＢインターフェイス２３８を介してＵＳＢメモリ６０が装着されているか否かを判断する（Ｓ１０１）。ＵＳＢメモリ６０が装着されていないと判断した場合（Ｓ１０１：ＮＯ），ＣＰＵ１３１は，ＵＳＢメモリ６０の装着を要求するメッセージを，操作パネル１４０の画面１４２に表示させる（Ｓ１０２）。Ｓ１０２の後，Ｓ１０１に戻り，再びＵＳＢインターフェイス１３８を介してＵＳＢメモリ６０が装着されているか否かを判断する。
【００４９】
ＵＳＢインターフェイス１３８を介してＵＳＢメモリ６０が装着されていると判断した場合（Ｓ１０１：ＹＥＳ），ＣＰＵ１３１は，ユーザに対してＩＣカード５０をＮＦＣ読取部１４３にかざすよう要求するメッセージを，操作パネル１４０の画面１４２に表示させる（Ｓ１１１）。Ｓ１１１の後，ＣＰＵ１３１は，ＩＣカード５０を検出したか否かを判断する（Ｓ１１２）。ＩＣカード５０を検出していないと判断した場合（Ｓ１１２：ＮＯ），ＣＰＵ１３１は，ＩＣカード５０の検出を待つ。
【００５０】
ＩＣカード５０を検出したと判断した場合（Ｓ１１２：ＹＥＳ），ＣＰＵ１３１は，ＩＣカード５０とのＮＦＣ通信によって，ＮＦＣインターフェイス１３７を介してＩＣカード５０に記憶される認証情報を受信する（Ｓ１１３）。Ｓ１１３は，第１受信工程の一例である。なお，認証情報を受信できなかった場合，ＣＰＵ１３１は新たなＩＣカード５０の検出を待つ。
【００５１】
Ｓ１１３の後，ＣＰＵ１３１は，ＲＯＭ１３２，ＲＡＭ１３３，あるいはＮＶＲＡＭ１３４から，コピー対象となる設定情報を読み出す（Ｓ１１４）。コピー対象となる設定情報は，あらかじめ決められた情報であってもよいし，複数の情報の中からユーザに選択させてもよい。
【００５２】
Ｓ１１４の後，ＣＰＵ１３１は，ＭＦＰ１００が保持する設定情報をＵＳＢメモリ６０に記憶させる装置−ＵＳＢ移行処理を実行する（Ｓ１２１）。装置−ＵＳＢ移行処理の詳細については後述する。
【００５３】
Ｓ１２１の後，ＣＰＵ１３１は，コピー履歴を作成する（Ｓ１３１）。コピー履歴には，例えば，設定情報をＵＳＢメモリ６０に記憶したこと，設定情報をＵＳＢメモリ６０に記憶した日時，ＮＦＣインターフェイス１３７を介してＩＣカード５０から受信した認証情報，ＵＳＢメモリ６０に記憶された設定情報の種類，が含まれる。作成したコピー履歴は，ＮＶＲＡＭ１３４に記憶させる。Ｓ１３１は，履歴記憶工程の一例である。
【００５４】
Ｓ１３１の後，ＣＰＵ１３１は，設定情報の読み取り完了を報知する（Ｓ１４１）。例えば，設定情報の読み取りが完了した旨のメッセージを，操作パネル１４０の画面１４２に表示させる。Ｓ１４１の後，ＣＰＵ１３１は，設定読み取り処理を終了する。
【００５５】
次に，前述した設定読み取り処理のＳ１２１における装置−ＵＳＢ移行処理の手順について，図５のフローチャートを参照しつつ説明する。
【００５６】
装置−ＵＳＢ移行処理では，ＣＰＵ１３１は先ず，ＮＦＣインターフェイス１３７を介してＩＣカード５０から受信した認証情報から暗号鍵Ａを生成する（Ｓ１５１）。Ｓ１５１は，暗号鍵生成工程の一例である。そして，ＣＰＵ１３１は，その暗号鍵Ａを用いて，コピー対象となる設定情報を暗号化する（Ｓ１５２）。Ｓ１５２は，第１暗号化工程の一例である。
【００５７】
Ｓ１５２の後，ＣＰＵ１３１は，個々のコピージョブを識別するためのコピーＩＤを生成する（Ｓ１５３）。そして，ＣＰＵ１３１は，そのコピーＩＤを，暗号化された設定情報に対応付け，暗号化された設定情報とコピーＩＤとから構成されるコピー元設定情報を作成する（Ｓ１５４）。
【００５８】
Ｓ１５４の後，ＣＰＵ１３１は，Ｓ１５３にて生成したコピーＩＤを，ＩＣカード５０から受信した認証情報に対応付け，認証情報とコピーＩＤとから構成されるコピー元認証情報を作成する（Ｓ１６１）。
【００５９】
Ｓ１６１の後，ＣＰＵ１３１は，暗号鍵ＢをＲＯＭ１３２から読み出す（Ｓ１６２）。そして，ＣＰＵ１３１は，その暗号鍵Ｂを用いて，Ｓ１６１にて作成したコピー元認証情報を暗号化する（Ｓ１６３）。Ｓ１６３は，第２暗号化工程の一例である。
【００６０】
Ｓ１６３の後，ＣＰＵ１３１は，ＵＳＢメモリ６０にフォルダ６１を作成する（Ｓ１７１）。本形態では，装置名とフォルダの作成日時とからなるフォルダ名のフォルダを自動的に作成する。具体的に，装置名が「ＭＦＰ−Ｘ」，フォルダの作成日時が２０１６年１０月１日であれば，フォルダ名を「ＭＦＰ−Ｘ２０１６１００１」とする。なお，ユーザが任意にフォルダ名を決定できてもよい。ユーザがフォルダ名を決定することで，ユーザにとってＭＦＰ２００でのフォルダの選択が容易になる。一方，ＭＦＰ１００が自動的にフォルダ名を決定することで，ユーザにとってフォルダ名を入力する手間が無い。Ｓ１７１は，フォルダ作成工程の一例である。
【００６１】
Ｓ１７１の後，ＣＰＵ１３１は，Ｓ１７１にて作成されたフォルダ６１内に，コピー元設定情報およびコピー元認証情報を記憶する（Ｓ１７２）。すなわち，暗号化された設定情報および暗号化された認証情報を共に１つのフォルダ６１内に記憶する。なお，コピー元設定情報に含まれるコピーＩＤは暗号化されておらず，コピー元認証情報に含まれるコピーＩＤは認証情報と共に暗号化されている。Ｓ１７２は，第１認証情報記憶工程および第１所定情報記憶工程の一例である。Ｓ１７２の後，ＣＰＵ１３１は，装置−ＵＳＢ移行処理を終了する。
【００６２】
［コピー先であるＭＦＰ２００の処理］
続いて，コピー先であるＭＦＰ２００で実行される設定書き込み処理について，図６のフローチャートを参照しつつ説明する。設定書き込み処理は，操作パネル２４０を介してコピー実行指示が入力されたことを契機に，ＭＦＰ２００のＣＰＵ２３１によって実行される。
【００６３】
設定書き込み処理では，ＣＰＵ２３１は先ず，ＵＳＢインターフェイス２３８を介してＵＳＢメモリ６０が装着されているか否かを判断する（Ｓ２０１）。ＵＳＢメモリ６０が装着されていないと判断した場合（Ｓ２０１：ＮＯ），ＣＰＵ２３１は，ＵＳＢメモリ６０の装着を要求するメッセージを，操作パネル２４０の画面２４２に表示させる（Ｓ２０２）。Ｓ２０２の後，Ｓ２０１に戻り，再びＵＳＢインターフェイス２３８を介してＵＳＢメモリ６０が装着されているか否かを判断する。
【００６４】
ＵＳＢインターフェイス２３８を介してＵＳＢメモリ６０が装着されていると判断した場合（Ｓ２０１：ＹＥＳ），ＣＰＵ２３１は，ＵＳＢメモリ６０内に作成されている全てのフォルダのフォルダ名を，操作パネル２４０の画面２４２に一覧表示させる（Ｓ２１１）。
【００６５】
Ｓ２１１の後，ＣＰＵ２３１は，コピー対象のフォルダの選択を要求するメッセージを，操作パネル２４０の画面２４２に表示させる（Ｓ２１２）。そして，ＣＰＵ２３１は，操作パネル２４０を用いて，フォルダが選択されたことを示す信号を受け取ったか否かを判断する（Ｓ２１３）。ユーザによって操作パネル２４０が操作されると，操作パネル２４０が，画面２４２に表示されるフォルダのうちどのフォルダが選択されたのかを示す信号をコントローラ２３０に出力する。フォルダが選択されたことを示す信号を受け取っていない場合と判断した（Ｓ２１３：ＮＯ），Ｓ２１２に戻り，ＣＰＵ２３１は，コピー対象のフォルダの選択を要求するメッセージを，操作パネル２４０の画面２４２に表示させた状態を維持する。なお，ＵＳＢメモリ６０内にフォルダが１つしかない場合，Ｓ２１２およびＳ２１３を省略してもよい。
【００６６】
フォルダが選択されたことを示す信号を受け取ったと判断した場合（Ｓ２１３：ＹＥＳ），ＣＰＵ２３１は，選択されたフォルダ内に認証情報と設定情報との両方が有るか否かを判断する（Ｓ２２１）。選択されたフォルダ内に認証情報と設定情報との少なくとも一方が無いと判断した場合（Ｓ２２１：ＮＯ），ＣＰＵ２３１は，エラーを報知する（Ｓ２２５）。例えば，ＣＰＵ２３１は，不適切なフォルダが選択された旨のエラーを，操作パネル２４０の画面２４２に表示させる。
【００６７】
選択されたフォルダ内に認証情報と設定情報との両方が有ると判断した場合（Ｓ２２１：ＹＥＳ），ＣＰＵ１３１は，ユーザに対してＩＣカード５０をＮＦＣ読取部２４３にかざすよう要求するメッセージを，操作パネル２４０の画面２４２に表示させる（Ｓ２２２）。Ｓ２２２の後，ＣＰＵ２３１は，ＮＦＣインターフェイス２３７を介してＩＣカード５０を検出したか否かを判断する（Ｓ２２３）。ＮＦＣインターフェイス２３７を介してＩＣカード５０を検出していないと判断した場合（Ｓ２２３：ＮＯ），ＣＰＵ２３１は，ＩＣカード５０の検出を待つ。
【００６８】
ＩＣカード５０を検出したと判断した場合（Ｓ２２３：ＹＥＳ），ＣＰＵ２３１は，ＩＣカード５０とのＮＦＣ通信によって，ＮＦＣインターフェイス２３７を介して，ＩＣカード５０に記憶される認証情報を受信する（Ｓ２２４）。Ｓ２２４は，第２受信工程の一例である。なお，認証情報を受信できなかった場合，ＣＰＵ２３１は新たなＩＣカード５０の検出を待つ。
【００６９】
Ｓ２２４の後，ＣＰＵ２３１は，ＵＳＢメモリ６０から，選択されたフォルダ内に記憶される設定情報を読み出してＭＦＰ２００に設定情報に上書きするＵＳＢ−装置移行処理を実行する（Ｓ２３１）。ＵＳＢ−装置移行処理の詳細については後述する。
【００７０】
Ｓ２３１あるいはＳ２２５の後，ＣＰＵ２３１は，設定情報の書き込み完了を報知する（Ｓ２４１）。例えば，設定情報の書き込みが正常に行われた場合には，設定情報の書き込みが完了した旨のメッセージを，操作パネル２４０の画面２４２に表示させる。また，設定情報の書き込みが正常に行われなかった場合には，設定情報の書き込みができなかった旨のメッセージを，操作パネル２４０の画面２４２に表示させる。Ｓ２４１の後，ＣＰＵ２３１は，設定書き込み処理を終了する。
【００７１】
次に，前述した設定書き込み処理のＳ２３１におけるＵＳＢ−装置移行処理の手順について，図７のフローチャートを参照しつつ説明する。
【００７２】
ＵＳＢ−装置移行処理では，ＣＰＵ２３１は先ず，ＵＳＢメモリ６０の選択されたフォルダからコピー元認証情報を読み出す（Ｓ２５１）。読み出されたコピー元認証情報は，コピーＩＤと認証情報とが暗号鍵Ｂによって暗号化された情報である。Ｓ２５１は読出工程の一例である。
【００７３】
そこで，ＣＰＵ２３１は，復号鍵Ｂ’をＲＯＭ２３２から読み出す（Ｓ２５２）。そして，ＣＰＵ２３１は，その復号鍵Ｂ’を用いて，コピー元認証情報を復号化する（Ｓ２５３）。この復号化によって，ＭＦＰ１００がＮＦＣインターフェイス１３７を介して受信した認証情報と，ＭＦＰ１００が生成したコピーＩＤとを復元できる。Ｓ２５３は，第２復号化工程の一例である。
【００７４】
Ｓ２５３の後，ＣＰＵ２３１は，ＮＦＣインターフェイス２３７を介してＩＣカード５０から受信した認証情報と，ＵＳＢメモリ６０から読み出した認証情報とが同じか否かを判断する（Ｓ２５４）。すなわち，ＵＳＢ６０から読み出した認証情報とＮＦＣインターフェイス２３７を介してＩＣカード５０から受信した認証情報とを照合することで，ＣＰＵ２３１は，ユーザ認証を行う。２つの認証情報が同じでないと判断した場合（Ｓ２５４：ＮＯ），ＣＰＵ２３１は，エラーを報知する（Ｓ２８１）。例えば，ＣＰＵ２３１は，不適切なフォルダが選択された旨のエラー，あるいは不適切なＩＣカードが検出された旨のエラーを，操作パネル２４０の画面２４２に表示させる。
【００７５】
２つの認証情報が同じであると判断した場合（Ｓ２５４：ＹＥＳ），ＣＰＵ２３１は，ＵＳＢメモリ６０の選択されたフォルダからコピー元設定情報を読み出す（Ｓ２６１）。読み出されたコピー元設定情報は，コピーＩＤと暗号鍵Ａによって暗号化された設定情報とからなる情報である。
【００７６】
そこで，ＣＰＵ２３１は，コピー元認証情報に含まれるコピーＩＤとコピー元設定情報に含まれるコピーＩＤとが同じか否かを判断する（Ｓ２６２）。２つのコピーＩＤが同じでないと判断した場合（Ｓ２６２：ＮＯ），ＣＰＵ２３１は，エラーを報知する（Ｓ２８１）。例えば，ＣＰＵ２３１は，ファイルが見つからない旨のエラーを，操作パネル２４０の画面２４２に表示させる。
【００７７】
２つのコピーＩＤが同じであると判断した場合（Ｓ２６２：ＹＥＳ），ＣＰＵ２３１は，ＵＳＢメモリ６０から読み出されて復号化された認証情報から復号鍵Ａ’を生成する（Ｓ２６３）。Ｓ２６３は，復号鍵生成工程の一例である。そして，ＣＰＵ２３１は，その復号鍵Ａ’を用いて，暗号化された設定情報を復号化する（Ｓ２６４）。この復号化によって，コピー対象の設定情報を復元できる。Ｓ２６４は，第１復号化工程の一例である。
【００７８】
なお，Ｓ２６３では，ＵＳＢメモリ６０から読み出されて復号化された認証情報から復号鍵Ａ’を生成しているが，復号化された認証情報とＮＦＣインターフェイス２３７を介してＩＣカード５０から受信した認証情報とが同じであることから，ＮＦＣインターフェイス２３７を介してＩＣカード５０から受信した認証情報から復号鍵Ａ’を生成してもよい。
【００７９】
Ｓ２６４の後，ＣＰＵ２３１は，復号化された設定情報を用いて，現在のＭＦＰ２００の設定情報を更新する（Ｓ２７１）。すなわち，現在の設定情報を，復号化された設定情報を用いて，上書きする。Ｓ２５４からＳ２７１までの処理は，第２所定情報記憶工程の一例である。
【００８０】
Ｓ２７１の後，ＣＰＵ２３１は，コピー履歴を作成する（Ｓ２７２）。コピー履歴には，例えば，設定情報を上書きしたこと，設定情報を上書きした日時，ＵＳＢメモリ６０から読み出した認証情報，上書きされた設定情報の種類，が含まれる。作成したコピー履歴は，ＮＶＲＡＭ２３４に記憶させる。Ｓ２７２またはＳ２８１の後，ＵＳＢ−装置移行処理を終了する。
【００８１】
［コピー動作の応用形態］
続いて，前述したデータコピーシステム９００におけるコピー動作の応用形態について，図８を参照しつつ説明する。応用形態では，装置に記憶する暗号鍵Ｂを用いて設定情報を暗号化する。この点，設定情報の暗号化に認証情報から生成される暗号鍵Ａを用いる実施の形態と異なる。以下，実施の形態と異なる点を中心に説明する。
【００８２】
応用形態であっても，コピー元のＭＦＰ１００において，ＮＦＣインターフェイス１３７を介してＩＣカード５０から認証情報を受信し，ＭＦＰ１００に記憶される暗号鍵Ｂを用いて認証情報を暗号化する処理は同じである。一方，応用形態では，設定情報を暗号化する際も，暗号鍵Ｂを用いる。そのため，実施の形態と異なり，暗号鍵Ａを生成する必要が無く，ＭＦＰ１００での処理がシンプルである。なお，実施の形態のように，コピー対象となる設定情報を，認証情報に基づく暗号鍵Ａによって暗号化すれば，暗号化の手順が複雑になり，設定情報の秘匿性がより向上し得る。
【００８３】
図９は，応用形態におけるＳ１２１の装置−ＵＳＢ移行処理の手順を示している。応用形態における装置−ＵＳＢ移行処理では，ＣＰＵ１３１は先ず，暗号鍵Ｂを読み出す（Ｓ３５１）。そして，ＣＰＵ１３１は，その暗号鍵Ｂを用いて，設定情報を暗号化する（Ｓ３５２）。この点，暗号鍵Ａを用いる実施の形態（Ｓ１５１，Ｓ１５２）とは異なる。また，暗号鍵Ｂを先に読み出しているため，Ｓ１６２は省略される。
【００８４】
また，応用形態であっても，コピー先のＭＦＰ２００において，ＮＦＣインターフェイス２３７を介してＩＣカード５０から認証情報を受信し，ＭＦＰ２００に記憶される復号鍵Ｂ’を用いて認証情報を復号化する処理は同じである。一方，応用形態では，設定情報を復号化する際も，復号鍵Ｂ’を用いる。そのため，実施の形態と異なり，復号鍵Ａ’を生成する必要が無く，ＭＦＰ２００での処理がシンプルである。なお，実施の形態のように，コピー対象となる設定情報を，認証情報に基づく復号鍵Ａ’によって復号化すれば，復号化の手順が複雑になり，設定情報の秘匿性がより向上し得る。
【００８５】
図１０は，応用形態におけるＳ２３１のＵＳＢ−装置移行処理の手順を示している。応用形態におけるＵＳＢ−装置移行処理では，ＣＰＵ２３１は，設定情報を復号化する際，復号鍵Ｂ’を用いる（Ｓ４６４）。この点，暗号鍵Ａを用いる実施の形態（Ｓ２６３，Ｓ２６４）とは異なる。
【００８６】
以上詳細に説明したように本形態のデータコピーシステム９００におけるＭＦＰ１００とＭＦＰ２００との間での設定情報のコピー方法では，先ず，コピー元であるＭＦＰ１００が，ＮＦＣインターフェイス１３７を介してＩＣカード５０から認証情報を受信し，その受信した認証情報とコピー対象の設定情報とをＵＳＢメモリ６０に記憶させる。そして，コピー先のＭＦＰ２００では，同じくＮＦＣインターフェイス２３７を介してＩＣカード５０から認証情報を受信し，その受信した認証情報とＵＳＢメモリ６０に記憶される認証情報との照合によって，ユーザ認証を行う。この手順により，本形態のコピー方法では，コピー先のＭＦＰ２００において，事前の設定が行われていなくてもユーザ認証を行うことができる。従って，新品導入時のような事前の設定が行われていない処理装置であっても，事前の設定を行わずにコピーを行うことができ，その結果としてユーザの手間が少ない。
【００８７】
例えば，１台のＭＦＰ１００の設定情報を，複数台のＭＦＰ２００にコピーする場合，従来の技術のように，ユーザ認証を行うための事前設定（例えば，ユーザの登録や，認証サーバと接続するためのネットワーク設定）があらかじめ各ＭＦＰ２００に必要となる。このような事前設定は，既存のシステムや，コピー先の処理装置の台数が少ない場合には，管理者の手間も少ないが，大量の台数の処理装置を新規に導入する場合には，管理者の手間が多くなる。すなわち，新規の処理装置では事前設定が行われていないことから，全ての処理装置で事前設定を行う必要が有り，管理者の手間が多くなる。一方で，本形態のようにＩＣカード５０から受信した認証情報とＵＳＢメモリ６０に記憶される認証情報との照合によって，ユーザ認証を行う形態であれば，コピー先の新規の処理装置において事前設定が不要となり，複数台の新規の処理装置に設定情報をコピーする場合に，特に管理者の手間の軽減が期待できる。
【００８８】
また，本形態のコピー方法では，ＵＳＢメモリ６０には，設定情報と認証情報との両方が記憶され，設定情報をＭＦＰ２００に上書きするには，ＵＳＢメモリ６０に記憶される認証情報と同じ認証情報を記憶するＩＣカード５０が必要となる。従って，仮にＵＳＢメモリ６０が盗まれたとしても，ＩＣカード５０が無ければコピーできない。そのため，本形態のコピー方法では，コピー対象の情報の秘匿性が向上するという効果も得られる。
【００８９】
なお，本実施の形態は単なる例示にすぎず，本発明を何ら限定するものではない。したがって本発明は当然に，その要旨を逸脱しない範囲内で種々の改良，変形が可能である。例えば，コピー元およびコピー先となる処理装置は，携帯端末と無線通信が可能であり，記憶媒体と接続可能であればよく，ＭＦＰの他，コピー機，プリンタ，スキャナ，ＦＡＸ装置，パーソナルコンピュータ，タブレットコンピュータであってもよい。また，携帯端末は，処理装置と無線通信が可能であればよく，ＩＣカードの他，ＩＣタグ，スマートフォンであってもよい。また，記憶媒体は，処理装置に接続可能であればよく，ＵＳＢメモリの他，ＳＤメモリカード，コンパクトフラッシュ（登録商標），スマートフォンであってもよい。
【００９０】
また，実施の形態では，コピー元の処理装置と，コピー先の処理装置とを同じ機種としているが，異なる機種であってもよい。例えば，所定の情報がプリンタとタブレットコンピュータとの両方で利用可能な情報であれば，プリンタからタブレットコンピュータにその所定の情報をコピーしてもよい。
【００９１】
また，実施の形態では，ＭＦＰ１００，２００がコピー元の処理装置と，コピー先の処理装置とを兼ねることが可能であったが，ＭＦＰ１００がコピー元の処理装置としての機能のみを有し，ＭＦＰ２００がコピー先の処理装置としての機能のみを有する構成であってもよい。
【００９２】
また，実施の形態では，無線通信としてＮＦＣ方式を採用しているが，通信方式はこれに限らず，他の通信方式であってもよい。例えば，ＩＥＥＥの８０２．１１の規格およびそれに準ずる規格に基づく通信方式や，Bluetooth（登録商標）方式であってもよい。
【００９３】
また，実施の形態では，ＵＳＢメモリ６０に設定情報および認証情報を記憶する際，ＭＦＰ１００がそれぞれの情報にコピーＩＤを付加し，ＭＦＰ２００において両者のコピーＩＤを照合し，一致する場合に設定情報のコピーを行っているが，コピーＩＤの付加および照合は行わなくてもよい。ただし，コピーＩＤを用いることで，不適切な設定情報のコピーをより防止できる。
【００９４】
また，実施の形態では，設定情報をＵＳＢメモリ６０に記憶する際に暗号化を行っているが，暗号化を行わなくてもよい。ただし，コピー対象となる設定情報を暗号化することで，設定情報の秘匿性が向上する。
【００９５】
また，実施の形態では，暗号化に用いる暗号鍵として，認証情報から生成した暗号鍵や，装置にあらかじめ記憶されている暗号鍵を用いているが，例えば，ＩＣカード５０に暗号鍵を記憶し，その暗号鍵を用いてもよい。
【００９６】
また，実施の形態では，認証情報をＵＳＢメモリ６０に記憶する際に暗号化を行っているが，暗号化を行わなくてもよい。ただし，認証情報を暗号化することで，ユーザ認証の手順がより複雑になり，結果としてコピー対象の設定情報の秘匿性がより向上する。
【００９７】
また，実施の形態では，ＵＳＢメモリ６０内にフォルダを作成し，そのフォルダ内に設定情報と認証情報とを共に記憶させているが，フォルダを作成しなくてもよい。あるいは共通のフォルダを作成し，どのコピーであってもその共通フォルダ内に情報を記憶するように構成してもよい。ただし，フォルダを作成し，設定情報および認証情報が共に記憶されることで，フォルダを選択することで設定情報と認証情報との両方の選択が完了することから，ＭＦＰ２００での各情報の検索が，ＭＦＰ２００にとってもユーザにとっても容易になり得る。
【００９８】
また，実施の形態では，コピーの履歴をＭＦＰ１００およびＭＦＰ２００にて記憶しているが，履歴を記憶しなくてもよい。ただし，コピーの履歴を残すことで，不正コピーの有無の確認が容易になり得る。
【００９９】
また，実施の形態では，設定情報の読み取り完了や書き込み完了を報知しているが，報知しなくてもよい。ただし，これらを報知することで，ユーザは，ＵＳＢメモリ６０を抜き出すタイミングを認識できる。
【０１００】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【０１０１】
５０    ＩＤカード
６０    ＵＳＢメモリ
１３７，２３７  ＮＦＣインターフェイス
１３８，２３８  ＵＳＢインターフェイス
１００，２００  ＭＦＰ
９００  データコピーシステム
【図１】
2018056917.tif 000003
【図２】
2018056917.tif 000004
【図３】
2018056917.tif 000005
【図４】
2018056917.tif 000006
【図５】
2018056917.tif 000007
【図６】
2018056917.tif 000008
【図７】
2018056917.tif 000009
【図８】
2018056917.tif 000010
【図９】
2018056917.tif 000011
【図１０】
2018056917.tif 000012